【事件の表示】
　平成７年特許願第２１３４４７号「イメージスキャナアナログ出力量調整回路」拒絶査定に対する審判事件（平成９年３月７日出願公開、特開平９−６５１２１）について、次のとおり審決する。
【結論】
　本件審判の請求は、成り立たない。
【理由】
１．手続の経緯・本願発明
　本願は、平成７年８月２２日に出願されたものであって、その請求項１に係る発明（以下「本願第１発明」という）は、平成１１年３月１１日付け手続補正書で補正された明細書及び図面の記載からみて、特許請求の範囲の請求項１に記載された次のとおりのものである。
　「イメージスキャナを構成する複数のＣＣＤセンサからの用紙反射光アナログ出力レベルをデジタル値に変換するＡ／Ｄ変換手段と、前記複数のＣＣＤセンサからの白色用紙反射光アナログ出力レベルの全てが飽和データを有さないように光源の印加電流を調整し光量を適正に調整する光量調整用Ｄ／Ａ変換手段と、前記白色用紙反射光アナログ出力レベルの前記Ａ／Ｄ変換手段により変換されたシェーディング補正データを格納する記憶手段と、前記白色用紙反射光アナログ出力レベル調整を前記シェーディング補正データに基づいて前記光量調整用Ｄ／Ａ変換手段に対して行うマイクロプロセッサと、前記デジタル値を前記シェーディング補正データに基づいて正規化するシェーディング演算手段とを備えることを特徴とするイメージスキャナアナログ出力量調整回路。」
２．引用刊行物
　これに対して、原査定の拒絶の理由に引用された特開平１−１６５２６４号公報（平成１年６月２９日出願公開。以下「引用例」という。）には、「光源の部分的な光量の低下や、イメージセンサの感度が温度特性を持つ場合でも正常に調光を行い、もし調光不能なほど光源の光量低下が激しいときは、その旨をオペレータに表示し、光源の交換を促すという機能を有した画像読み取り装置を提供する」（第２頁左上欄１５行ないし２０行）ことを目的とし、
「原稿を載置する原稿台と、原稿を照明する照明手段と、光信号を電気信号に変換するイメージセンサと、原稿からの反射光もしくは透過光をイメージセンサ上に集束する光学系と、照明手段の光量むら及びイメージセンサの画素感度ばらつきを補正するシェーディング補正回路と、白色基準板と、白色基準板を読み取っているときのイメージセンサの出力が所定の範囲になるように照明手段の輝度を調整する調光回路を具備し、前記調光回路はコンパレータとマイクロプロセッサを具備し、前記調光回路が調光不能になるとオペレータにその旨を警告する表示手段を具備し、前記シェーディング補正回路は、白色基準板を読み取っているときはシェーディング補正を行わないこと」（第２頁右上欄２行ないし１５行）を特徴とし、
（ａ）「イメージセンサ４からのアナログ画像信号６１はシェーディング補正回路５０でＡＤ変換及びシェーディング補正される」（第２頁左下欄２０行ないし右下欄３行）こと、
（ｂ）「イメージセンサが白色基準板７を読み取り、シェーディング補正回路５０が白基準データを取りこんでいるとき、調光状態検出回路５２は調光が正常に行えているか否かを検出する。ＣＰＵ５４は調光状態検出回路５２の検出した調光状態を、データバス３２を介して読み、光量調整回路５３に対して光量を調整するための指令を、データバス３２を介して送る」（第２頁右下欄６行ないし１３行）こと、
（ｃ）イメージセンサが白色基準板を読み、シェーディング補正回路が白基準データを取り込むときの画像信号の流れは、「イメージセンサからのアナログ画像信号６１はＡＤコンバータ６２によりＡＤ変換される。−−−中略−−−ＡＤ変換された白基準データは１ライン分ＲＡＭ７０に書き込まれると同時に、セレクタ７３はＡＤコンバータ６２の出力６８を選択し白基準データ１４を出力する」（第３頁左上欄１３行ないし右上欄５行）こと、
（ｄ）シェーディング補正を行っているとき、すなわち原稿の画像を読み取っているときの画像信号の流れは、「ＡＤ変換された画像信号６８は除算ＲＯＭ６９により、画素ごとに読み出された白基準データ７１で除算される。セレクタ７４は除算ＲＯＭの出力を選択し、シェーディング補正された画像信号１４を出力する」（第３頁右上欄９行ないし１３行）こと、
（ｅ）調光状態検出回路５２は、「３５はラインイネーブル信号（ＬＥＮＢＬ）であり、この信号がローレベルのとき、シェーディング補正回路５０の出力信号７４は有効である。３４はシェーディング補正回路５０が白基準データを取り込み中であることを示すシェーディングレディ信号）（ＳＨＲＤＹ）でアクティブローである。−−−中略−−−ＬＥＮＢＬ３５及びＳＨＲＤＹ３４がアクティブのとき、コンパレータ２０，２１のイネーブル信号３７がアクティブになり、コンパレータ２０，２１は出力イネーブル状態になる。ＬＥＮＢＬ３５及びＳＨＲＤＹ３４がアクティブであるということは、このときシェーディング補正回路５０からの出力信号７４は白基準データであるということである。コンパレータ２０の出力２４は白基準データ７４が白基準データ上限値に等しいか大きいときハイレベルになる。Ｄフリップ・フロップ２５のＤ入力はハイレベルである。コンパレータ２０の出力２４がハイレベルになると、この立ち上がりエッジでＤフリップ・フロップのＱ出力２８はハイレベルになる。−−−中略−−−ＣＰＵ５４はＩ／Ｏポート３１を介してＤフリップ・フロップのＱ出力２８，２９がハイレベルであるかローレベルであるかを読むことによって、螢光灯の光量が明るすぎるか暗すぎるかを検出することができる」（第３頁右上欄２０行乃至右下欄１８行）こと、
（ｆ）光量調整回路５３は、「ＣＰＵ５４はＩ／Ｏポート４０を介して螢光灯の光量設定データ４１を設定する。カウンタ４４はＰＷＭクロック４５をクロック入力とする。コンパレータ４２はカウンタ出力４７と光量設定データ４１を比較し、光量設定データ４１よりカウンタ値４７の方が大きいときハイレベルになる信号４３を出力する。螢光灯点燈回路４６はコンパレータ出力４３がローレベルのとき、螢光灯を点燈させる。これにより光量設定データ４１を変えることにより、螢光灯の点燈時間が変わり光量を調整することができる」（第４頁右上欄１１行ないし左下欄１行）こと、を具体的な構成、及び動作とした画像読み取り装置が図面と共に記載されている。
３．対比
　そこで、本願第１発明と引用例に記載された発明とを対比すると、
　引用例に記載された発明における「イメージセンサ４」と本願第１発明における「複数のＣＣＤセンサ」とは、それが複数のＣＣＤで構成されるか否かの点は別として、「イメージスキャナを構成するイメージセンサ」であるという点で一致し、
　同じく引用例に記載された発明における「ＡＤコンバータ６２」は、イメージセンサ４からのアナログ画像信号をＡＤ変換するものであるから（上記記載（ａ）、（ｃ）参照）、本願第１発明の「Ａ／Ｄ変換手段」とは、「イメージセンサからの用紙反射光アナログ出力レベルをデジタル値に変換するＡ／Ｄ変換手段」であるという点で一致し、
　同じく引用例に記載された発明における「光量調整回路５３」と、本願第１発明の「光量調整用Ｄ／Ａ変換手段」とは、白色用紙についての反射光アナログ出力レベルの全てに着目し、それら全てが飽和データを有さないように、光源の光量の調整をその印加電流の調整により行うか否か、また、それがＤ／Ａ変換手段であるか否かの点は別として、「白色部分の反射光アナログ出力レベルが所定の範囲となるように光源の光量を適正に調整する光量調整手段」であるという点で一致し（上記記載（ｅ）、（ｆ）参照）、
　同じく引用例に記載された発明における「ＲＡＭ７０」と本願第１発明の「記憶手段」とは、「白色部分の反射光アナログ出力レベルをＡ／Ｄ変換手段により変換されたシェーディング補正データを格納する記憶手段」であるという点で一致し（上記記載（ｃ）参照）、
　同じく引用例に記載された発明における白基準データ１４は、シェーディング補正用にＲＡＭ７０に書き込まれるものであって、シェーディング補正データといえるものであるから、それに基づいて調光を行う「調光状態検出回路５２」及び「ＣＰＵ５４」と本願第１発明における「マイクロプロセッサ」とは、「白色部分の反射光アナログ出力レベル調整を前記シェーディング補正データに基づいて光量調整手段に対して行う処理手段であるという点で一致し、（上記記載（ｂ）、（ｆ）参照）、
　同じく引用例に記載された発明における除算ＲＯＭ６９は、ＡＤ変換された画像信号を白基準データで除算し、シェーディング補正された画像信号を出力するものであるから（上記記載（ｄ）参照）、本願第１発明における「前記デジタル値を前記シェーディング補正データに基づいて正規化するシェーディング演算手段」に相当し、そして、引用例に記載された発明は、全体として、イメージスキャナアナログ出力量調整回路を開示することが明らかであるから、結局、両者は、
「イメージスキャナを構成するイメージセンサからの用紙反射光アナログ出力レベルをデジタル値に変換するＡ／Ｄ変換手段と、前記イメージセンサからの白色部分の反射光アナログ出力レベルが所定の範囲となるように光源の光量を適正に調整する光量調整手段と、前記白色部分の反射光アナログ出力レベルの前記Ａ／Ｄ変換手段により変換されたシェーディング補正データを格納する記憶手段と、前記白色部分の反射光アナログ出力レベル調整を前記シェーディング補正データに基づいて前記光量調整手段に対して行う処理手段と、前記デジタル値を前記シェーディング補正データに基づいて正規化するシェーディング演算手段とを備えることを特徴とするイメージスキャナアナログ出力量調整回路。」
である点で一致し、次の▲１▼、▲２▼の点で相違する。
▲１▼本願第１発明は、「イメージセンサ」が「複数のＣＣＤセンサ」で構成されるのに対して、引用例に記載された発明は、イメージセンサが複数のＣＣＤセンサで構成されることについて記載されていない点。
▲２▼「光量調整手段」が、本願第１発明は、「複数のＣＣＤセンサからの白色用紙反射光アナログ出力レベルの全てが飽和データを有さないように光源の印加電流を調整し光量を適正に調整する光量調整用Ｄ／Ａ変換手段」である、すなわち、白色用紙についての反射光アナログ出力レベルの全てに着目し、それら全てが飽和レベルデータを有さないように、光源の光量調整をその印加電流の調整により行うＤ／Ａ変換手段であるのに対し、引用例に記載された発明は、イメージセンサからの白色基準板反射光アナログ出力レベルの全てが上限値と下限値との間の値となるように、光源（螢光灯）の点燈時間を変え光量を調整するもの（上記記載（ｂ）、（ｅ）、（ｆ）参照）であり、「処理手段」が、本願第１発明は、「白色用紙反射光アナログ出力レベル調整を前記シェーディング補正データに基づいて前記光量調整用Ｄ／Ａ変換手段に対して行うマイクロプロセッサ」であるのに対し、引用例に記載された発明は、白色部分の反射光アナログ出力レベル調整を前記シェーディング補正データに基づいて、光量調整手段に対して行う「調光状態検出回路５２」及び「ＣＰＵ５４」である点（上記記載（ｂ）、（ｅ）、（ｆ）参照）。
４．当審の判断
　まず、相違点▲１▼について検討すると、イメージスキャナを構成するイメージセンサを複数のＣＣＤセンサで構成することは、当業者に周知である（必要であれば、特開平４−３５８４７４号公報、特開昭６２−４７２７４号公報参照）から、イメージセンサを複数のＣＣＤセンサで構成することは、ＣＣＤセンサの画素数、画像の読取領域などを考慮して、当業者が適宜採用し得ることである。
　次に、相違点▲２▼について検討すると、イメージスキャナを用いる画像読み取りの技術分野において、イメージセンサからの白色部分の反射光アナログ出力レベルの全てが飽和データを有さないように光源の光量を調整すること、白色部分の反射光を白色用紙を読み取ることにより得ること、及び、光源の印加電流を調整して光量を適正に調整する光量調整用Ｄ／Ａ変換手段は、いずれも当業者に周知である（必要であれば、飽和データを有さないように調整することについて特開平４−２６１２７０号公報、白色用紙を読み取ることについて特開昭６２−２７４９８１号公報、特開昭６３−１１５４６５号公報、光量調整用Ｄ／Ａ変換手段について上記特開昭６２−２７４９８１号公報、特開昭６１−１３１６６９号公報参照）から、これらの周知技術を勘案すると、光量調整手段を、「イメージセンサ（複数のＣＣＤセンサ）からの白色用紙反射光アナログ出力レベルの全てが飽和データを有さないように光源の印加電流を調整し光量を適正に調整する光量調整用Ｄ／Ａ変換手段」で構成することは、当業者が容易になし得ることである。
　また、「処理手段」が本願第１発明は、「マイクロプロセッサ」であるのに対し、引用例に記載された発明は、「調光状態検出回路５２」及び「ＣＰＵ５４」であるといっても、本願第１発明の「マイクロプロセッサ」は、ＣＣＤセンサの出力に飽和データがないかを認識する機能、すなわち調光状態を検出する機能を有しており、ＣＰＵ（マイクロプロセッサ）にどこまでの機能を持たせるかは、設計的事項にすぎず、引用例に記載された発明の「ＣＰＵ５４」に調光状態検出の機能を持たせるようにすることも当業者が適宜なし得ることである。
　そして、本願第１発明の構成によりもたらされる効果も引用例から当業者が容易に予測し得る程度のものであり、格別のものではない。
５．請求人の主張
　請求人は、引用例に記載された発明は、１つのセンサ内部の出力を補正するものであって、複数のＣＣＤ間の出力レベルを最適に平準化を行う補正をする本願とはその技術が全く異なっている、本願発明は、複数のＣＣＤの全てにおいて飽和データがなくなるように光源光量を調整し、個々のＣＣＤ毎にゲイン調整を行って光源に対するＣＣＤ間の出力レベルのばらつきを補正し、さらに各ＣＣＤ毎にシェーディング補正を行って各ＣＣＤの内部のばらつきを補正することで複数のＣＣＤ間の出力のばらつきを最適に平準化するものである旨主張するが、本願第１発明は、請求項１の記載から明らかなように、個々のＣＣＤ毎にゲイン調整を行うゲイン調整手段を備えるものではないから、かかる主張は、請求項１の記載に基づかないものであり、採用できない。
　なお、請求項２に記載された発明は、ゲイン調整手段を備えるものであるが、イメージセンサを複数のＣＣＤセンサで構成する場合に、個々のＣＣＤ毎にゲイン調整を行って、ＣＣＤ間の出力レベルのばらつきを補正することも、例えば前掲の特開昭６２−４７２７４号公報、特開平４−３５８４７４号公報に記載されているように周知であり、そのようなゲイン調整を行うようにすることは、イメージセンサを複数のＣＣＤセンサで構成することに伴って当業者が適宜採用しうることである。
６．むすび
　以上のとおりであるから、本願第１発明は、引用例に記載された発明に基づいて当業者が容易に発明をすることができたものと認められるので、特許法第２９条第２項の規定により、特許を受けることができない。
　よって、結論のとおり審決する。